(57)【要約】【課題】本発明は小分けボトル注入装置を開示した。【解決手段】本発明は小分けボトル注入装置を公示し、小分けボトル注入装置は、液体注入器を含み、前記液体注入器の中に作動チャンバが設置され、前記作動チャンバの中には瓶詰め装置が設置され、前記瓶詰め装置は作動ブロックを含み、前記瓶詰め装置は前記作動ブロックによってボトルを固定させ、本装置は化粧品ボトルの中の液体を注入することで、人力で小分けボトルに液体を注入した時に、高価な化粧品をこぼす問題を解決でき、また、本装置は大多数の化粧品ボトルと小分けボトルのサイズに適し、適応性が抜群であり、本装置は機械の伝動によって、装置の作動効率を上げ、コストとエネルギー消耗を軽減できる。【選択図】図１
2020175952.tif 000002
【特許請求の範囲】
【請求項１】
正面視で、液体注入器を含み、前記液体注入器の中に作動チャンバが設置され、前記作動チャンバの中には瓶詰め装置が設置され、前記瓶詰め装置は作動ブロックを含み、前記瓶詰め装置は前記作動ブロックによってボトルを固定させ、上下に移動させることができ、前記作動チャンバの右端壁には切替溝が設置され、前記作動チャンバの下端壁には細スライド溝が設置され、前記細スライド溝の下端壁には長スライド溝が設置され、前記長スライド溝の中には引き動かし装置が設置され、前記引き動かし装置は連結ブロックを含み、前記瓶詰め装置を左右に滑らせることができ、前記作動チャンバの上端壁にはノズルスライド溝が左右対称に設置され、前記ノズルスライド溝の左右端壁にはそれぞれ縄溝が対称的に設置され、前記ノズルスライド溝の上端壁には詰めチャンバが設置され、前記詰めチャンバと前記縄溝とが連通しており、前記詰めチャンバの上端壁には化粧品ボトルチャンバが設置され、前記化粧品ボトルチャンバの中にはボトル置き装置が設置され、前記ボトル置き装置はばね板を含み、大きめの化粧品ボトルを固定することができ、前記化粧品ボトルチャンバの左右端壁にはそれぞれスライドロッド引掛り溝が設置され、前記スライドロッド引掛り溝には下油圧作動油溝が連動するように設置され、前記下油圧作動油溝の左右両端にはそれぞれ第一挟み溝が連動するように設置され、前記第一挟み溝の上端壁には前記化粧品ボトルチャンバと連通した第二挟み溝が設置され、前記液体注入器の中には引き動かし溝が設置され、前記引き動かし溝の上端壁は外部と連通していることを特徴とする小分けボトル注入装置。
【請求項２】
前記瓶詰め装置は手動ブロックを含み、前記手動ブロックは前記切替溝とスライド可能に連結され、前記手動ブロックと前記作動ブロックとが固定的に連結され、前記作動ブロックの左右両端には瓶詰め装置が対称的に設置され、左側の瓶詰め装置を例として、前記作動ブロックは固定チャンバ含み、前記固定チャンバの左右には親ねじブッシングスライド溝が対称的に設置され、前記親ねじブッシングスライド溝の左右端壁には駆動チャンバが対称的に設置され、前記親ねじブッシングスライド溝の上端壁には前記作動チャンバと連通したリングギア溝が設置され、前記リングギア溝の中にはリングギアがスライド可能に設置され、前記リングギアの上端面には回し棒が設置され、前記リングギアの外周は歯であり、前記駆動チャンバの上下端壁には縦軸が回転可能に連結され、前記縦軸の上端には前記リングギアと噛み合った縦軸歯車が設置され、前記縦軸の下端には縦軸傘歯車が設置され、前記親ねじブッシングスライド溝の下端壁には支持ロッドが設置され、前記支持ロッドの中には親ねじが回転可能に連結され、前記親ねじのうち前記固定チャンバから離れた端には前記縦軸傘歯車と噛み合った親ねじ傘歯車が設置され、前記親ねじのうち前記固定チャンバに近接した端には矩形親ねじブッシングがネジ山によって連結され、前記親ねじブッシングのうち前記固定チャンバに近接した端には海綿クッションが設置され、二つの前記海綿クッションは小分けボトルを固定することができることを特徴とする請求項１に記載の小分けボトル注入装置。
【請求項３】
前記引き動かし装置は凹スライドブロックを含み、前記凹スライドブロックと前記長スライド溝とスライド可能に連結され、前記凹スライドブロックと前記長スライド溝の左端壁との間には長ばねが連結され、前記凹スライドブロックの中には凹スライド溝が設置され、前記連結ブロックと前記凹スライド溝とはスライド可能に連結され、前記連結ブロックと前記凹スライド溝との間には連結ばねが連結され、前記連結ブロックと前記作動ブロックの下端面とは固定的に連結され、前記連結ブロックと前記細スライド溝とはスライド可能に連結されることを特徴とする請求項１に記載の小分けボトル注入装置。
【請求項４】
前記ボトル置き装置はは二つ左右対称に設置され、左側のを例として、ばね板を含み、前記ばね板と前記化粧品ボトルチャンバとがスライド可能に連結され、前記化粧品ボトルチャンバの下端壁にはばね溝は左右対称に設置され、前記ばね板と前記ばね溝との間には復位ばねが連結され、前記ばね板の中には抜き穴が設置され、前記抜き穴の左右端壁にはスライドロッドスライド溝が対称的に設置され、前記スライドロッドスライド溝の中にはスライドロッドがスライド可能に連結され、前記スライドロッドスライド溝の下端壁には位置制限溝が設置され、前記位置制限溝の中には位置制限ブロックがスライド可能に連結され、前記位置制限ブロックと前記スライドロッドとが固定的に連結されており、前記位置制限ブロックと前記位置制限溝との間には位置制限ばねが連結され、前記化粧品ボトルチャンバの下端壁には座金が設置され、前記スライドロッド引掛り溝と前記下油圧作動油溝の中にはＴ型ブロックがスライド可能に連結され、前記下油圧作動油溝には上油圧作動油溝が連通しており、前記上油圧作動油溝の中には油圧スライドブロックがスライド可能に連結され、前記油圧スライドブロックと前記Ｔ型ブロックとの間には油圧作動油が設置されており、前記油圧スライドブロックのうち前記化粧品ボトルチャンバから離れた端には引きロッドが設置され、前記引きロッドは前記上油圧作動油溝のうち前記化粧品ボトルチャンバから離れた端を貫き、それぞれ前記引き動かし溝と外部に伸びており、前記引きロッドと前記下油圧作動油溝の端壁とに漏出防止輪が連結され、前記引きロッドのうち前記化粧品ボトルチャンバから離れた端には引手が設置され、前記油圧スライドブロックのもう一端にはＬ型ロッドが設置され、前記Ｌ型ロッドの上端には挟みブロックが設置され、前記縄溝の中には止め板  が設置され、前記縄溝の下端壁には下スライド溝が設置され、前記下スライド溝の中には前記止め板と固定的に連結された下スライドブロックがスライド可能に連結され、前記下スライドブロックと前記下スライド溝との間には下ばねが連結され、前記縄溝の前後端壁には定滑車が上下対称に、かつ回転可能に連結され、前記ノズルスライド溝の中にはノズル板がスライド可能に連結され、前記ノズル板と前記止め板との間には前記定滑車によって縄が連結され、前記ノズル板と前記ノズルスライド溝の上端壁との間にはノズルばねが連結され、前記ノズル板の中にはノズルが設置されることを特徴とする請求項１に記載の小分けボトル注入装置。
【発明の詳細な説明】
【技術分野】
【０００１】
本発明は家具分野に関わり、具体的には小分けボトル注入装置である。
【背景技術】
【０００２】
現在、生活品質の向上とともに、より多くの女性が化粧品を使い始めた。化粧品は一般的に体積が大きいため、出かける時には小分けボトルを使用しなければならない。また、頻繁に出かける人々にとって、小分けボトルに頻繁に液体を注がなければならない。しかし、伝統的な注入は使用者本人が行うため、化粧品をこぼす恐れがあり、貴重な化粧品が無駄になってしまう。そのため、家庭用の小分けボトル注入装置の設計は必要である。
【先行技術文献】
【特許文献】
【０００３】
【特許文献１】中国特許出願公開第102020062号明細書
【発明の概要】
【発明が解決しようとする課題】
【０００４】
本発明は小分けボトル注入装置を提供し、既存技術にある上記の欠点を解消することを目的とする。
【課題を解決するための手段】
【０００５】
上記の目的を実現するために、本発明は以下の技術プランを提供する：小分けボトル注入装置は、液体注入器を含み、前記液体注入器の中に作動チャンバが設置され、前記作動チャンバの中には瓶詰め装置が設置され、前記瓶詰め装置は作動ブロックを含み、前記瓶詰め装置は前記作動ブロックによってボトルを固定させ、上下に移動させることができ、前記作動チャンバの右端壁には切替溝が設置され、前記作動チャンバの下端壁には細スライド溝が設置され、前記細スライド溝の下端壁には長スライド溝が設置され、前記長スライド溝の中には引き動かし装置が設置され、前記引き動かし装置は連結ブロックを含み、前記瓶詰め装置を左右に滑らせることができ、前記作動チャンバの上端壁にはノズルスライド溝が左右対称に設置され、前記ノズルスライド溝の左右端壁にはそれぞれ縄溝が対称的に設置され、前記ノズルスライド溝の上端壁には詰めチャンバが設置され、前記詰めチャンバと前記縄溝とが連通しており、前記詰めチャンバの上端壁には化粧品ボトルチャンバが設置され、前記化粧品ボトルチャンバの中にはボトル置き装置が設置され、前記ボトル置き装置はばね板を含み、大きめの化粧品ボトルを固定することができ、前記化粧品ボトルチャンバの左右端壁にはそれぞれスライドロッド引掛り溝が設置され、前記スライドロッド引掛り溝には下油圧作動油溝が連動するように設置され、前記下油圧作動油溝の左右両端にはそれぞれ第一挟み溝が連動するように設置され、前記第一挟み溝の上端壁には前記化粧品ボトルチャンバと連通した第二挟み溝が設置され、前記液体注入器の中には引き動かし溝が設置され、前記引き動かし溝の上端壁は外部と連通している。
【０００６】
好ましくは、前記瓶詰め装置は手動ブロックを含み、前記手動ブロックは前記切替溝とスライド可能に連結され、前記手動ブロックと前記作動ブロックとが固定的に連結され、前記作動ブロックの左右両端には瓶詰め装置が対称的に設置され、左側の瓶詰め装置を例として、前記作動ブロックは固定チャンバ含み、前記固定チャンバの左右には親ねじブッシングスライド溝が対称的に設置され、前記親ねじブッシングスライド溝の左右端壁には駆動チャンバが対称的に設置され、前記親ねじブッシングスライド溝の上端壁には前記作動チャンバと連通したリングギア溝が設置され、前記リングギア溝の中にはリングギアがスライド可能に設置され、前記リングギアの上端面には回し棒が設置され、前記リングギアの外周は歯であり、前記駆動チャンバの上下端壁には縦軸が回転可能に連結され、前記縦軸の上端には前記リングギアと噛み合った縦軸歯車が設置され、前記縦軸の下端には縦軸傘歯車が設置され、前記親ねじブッシングスライド溝の下端壁には支持ロッドが設置され、前記支持ロッドの中には親ねじが回転可能に連結され、前記親ねじのうち前記固定チャンバから離れた端には前記縦軸傘歯車と噛み合った親ねじ傘歯車が設置され、前記親ねじのうち前記固定チャンバに近接した端には矩形親ねじブッシングがネジ山によって連結され、前記親ねじブッシングのうち前記固定チャンバに近接した端には海綿クッションが設置され、二つの前記海綿クッションは小分けボトルを固定することができる。
【０００７】
好ましくは、前記引き動かし装置は凹スライドブロックを含み、前記凹スライドブロックと前記長スライド溝とスライド可能に連結され、前記凹スライドブロックと前記長スライド溝の左端壁との間には長ばねが連結され、前記凹スライドブロックの中には凹スライド溝が設置され、前記連結ブロックと前記凹スライド溝とはスライド可能に連結され、前記連結ブロックと前記凹スライド溝との間には連結ばねが連結され、前記連結ブロックと前記作動ブロックの下端面とは固定的に連結され、前記連結ブロックと前記細スライド溝とはスライド可能に連結されている。
【０００８】
好ましくは、前記ボトル置き装置はは二つ左右対称に設置され、左側のを例として、ばね板を含み、前記ばね板と前記化粧品ボトルチャンバとがスライド可能に連結され、前記化粧品ボトルチャンバの下端壁にはばね溝は左右対称に設置され、前記ばね板と前記ばね溝との間には復位ばねが連結され、前記ばね板の中には抜き穴が設置され、前記抜き穴の左右端壁にはスライドロッドスライド溝が対称的に設置され、前記スライドロッドスライド溝の中にはスライドロッドがスライド可能に連結され、前記スライドロッドスライド溝の下端壁には位置制限溝が設置され、前記位置制限溝の中には位置制限ブロックがスライド可能に連結され、前記位置制限ブロックと前記スライドロッドとが固定的に連結されており、前記位置制限ブロックと前記位置制限溝との間には位置制限ばねが連結され、前記化粧品ボトルチャンバの下端壁には座金が設置され、前記スライドロッド引掛り溝と前記下油圧作動油溝の中にはＴ型ブロックがスライド可能に連結され、前記下油圧作動油溝には上油圧作動油溝が連通しており、前記上油圧作動油溝の中には油圧スライドブロックがスライド可能に連結され、前記油圧スライドブロックと前記Ｔ型ブロックとの間には油圧作動油が設置されており、前記油圧スライドブロックのうち前記化粧品ボトルチャンバから離れた端には引きロッドが設置され、前記引きロッドは前記上油圧作動油溝のうち前記化粧品ボトルチャンバから離れた端を貫き、それぞれ前記引き動かし溝と外部に伸びており、前記引きロッドと前記下油圧作動油溝の端壁とに漏出防止輪が連結され、前記引きロッドのうち前記化粧品ボトルチャンバから離れた端には引手が設置され、前記油圧スライドブロックのもう一端にはＬ型ロッドが設置され、前記Ｌ型ロッドの上端には挟みブロックが設置され、前記縄溝の中には止め板  が設置され、前記縄溝の下端壁には下スライド溝が設置され、前記下スライド溝の中には前記止め板と固定的に連結された下スライドブロックがスライド可能に連結され、前記下スライドブロックと前記下スライド溝との間には下ばねが連結され、前記縄溝の前後端壁には定滑車が上下対称に、かつ回転可能に連結され、前記ノズルスライド溝の中にはノズル板がスライド可能に連結され、前記ノズル板と前記止め板との間には前記定滑車によって縄が連結され、前記ノズル板と前記ノズルスライド溝の上端壁との間にはノズルばねが連結され、前記ノズル板の中にはノズルが設置されている。
【発明の効果】
【０００９】
本発明の有益的効果は：本装置は化粧品ボトルの中の液体を注入することで、人力で小分けボトルに液体を注入した時に、高価な化粧品をこぼす問題を解決でき、また、本装置は大多数の化粧品ボトルと小分けボトルのサイズに適し、適応性が抜群であり、本装置は機械の伝動によって、装置の作動効率を上げ、コストとエネルギー消耗を軽減できる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明である小分けボトル注入装置の全体断面の正面構成略図
【図２】図２は図１におけるＡの局部拡大図
【図３】図３は図１におけるＢ―Ｂ方向からの断面図
【図４】図４は図１におけるノズル板とノズルの装着略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜４を参照し、本発明は以下の実施例を提供する：小分けボトル注入装置は、液体注入器１００を含み、前記液体注入器１００の中に作動チャンバ２２が設置され、前記作動チャンバ２２の中には瓶詰め装置１０１が設置され、前記瓶詰め装置１０１は作動ブロック７９を含み、前記瓶詰め装置１０１は前記作動ブロック７９によってボトルを固定させ、上下に移動させることができ、前記作動チャンバ２２の右端壁には切替溝２３が設置され、前記作動チャンバ２２の下端壁には細スライド溝２５が設置され、前記細スライド溝２５の下端壁には長スライド溝２６が設置され、前記長スライド溝２６の中には引き動かし装置１０２が設置され、前記引き動かし装置１０２は連結ブロック３０を含み、前記瓶詰め装置１０１を左右に滑らせることができ、前記作動チャンバ２２の上端壁にはノズルスライド溝６１が左右対称に設置され、前記ノズルスライド溝６１の左右端壁にはそれぞれ縄溝６０が対称的に設置され、前記ノズルスライド溝６１の上端壁には詰めチャンバ６５が設置され、前記詰めチャンバ６５と前記縄溝６０とが連通しており、前記詰めチャンバ６５の上端壁には化粧品ボトルチャンバ８０が設置され、前記化粧品ボトルチャンバ８０の中にはボトル置き装置１０３が設置され、前記ボトル置き装置１０３はばね板５３を含み、大きめの化粧品ボトルを固定することができ、前記化粧品ボトルチャンバ８０の左右端壁にはそれぞれスライドロッド引掛り溝５０が設置され、前記スライドロッド引掛り溝５０には下油圧作動油溝７３が連動するように設置され、前記下油圧作動油溝７３の左右両端にはそれぞれ第一挟み溝４９が連動するように設置され、前記第一挟み溝４９の上端壁には前記化粧品ボトルチャンバ８０と連通した第二挟み溝８１が設置され、前記液体注入器１００の中には引き動かし溝２１が設置され、前記引き動かし溝２１の上端壁は外部と連通している。
【００１５】
好ましくは、前記瓶詰め装置１０１は手動ブロック２４を含み、前記手動ブロック２４は前記切替溝２３とスライド可能に連結され、前記手動ブロック２４と前記作動ブロック７９とが固定的に連結され、前記作動ブロック７９の左右両端には瓶詰め装置１０１が対称的に設置され、左側の瓶詰め装置１０１を例として、前記作動ブロック７０は固定チャンバ３３含み、前記固定チャンバ３３の左右には親ねじブッシングスライド溝３２が対称的に設置され、前記親ねじブッシングスライド溝３２の左右端壁には駆動チャンバ４０が対称的に設置され、前記親ねじブッシングスライド溝３２の上端壁には前記作動チャンバ２２と連通したリングギア溝８３が設置され、前記リングギア溝８３の中にはリングギア４４がスライド可能に設置され、前記リングギア４４の上端面には回し棒４５が設置され、前記リングギア４４の外周は歯であり、前記駆動チャンバ４０の上下端壁には縦軸４１が回転可能に連結され、前記縦軸４１の上端には前記リングギア４４と噛み合った縦軸歯車４３が設置され、前記縦軸４１の下端には縦軸傘歯車４２が設置され、前記親ねじブッシングスライド溝３２の下端壁には支持ロッド３８が設置され、前記支持ロッド３８の中には親ねじ３７が回転可能に連結され、前記親ねじ３７のうち前記固定チャンバ３３から離れた端には前記縦軸傘歯車４２と噛み合った親ねじ傘歯車３９が設置され、前記親ねじ３７のうち前記固定チャンバ３３に近接した端には矩形親ねじブッシング３６がネジ山によって連結され、前記親ねじブッシング３６のうち前記固定チャンバ３３に近接した端には海綿クッション３５が設置され、二つの前記海綿クッション３５は小分けボトル３４を固定することができ、前記小分けボトル３４を前記固定チャンバ３３の中に入れ、そして前記回し棒４５によって前記リングギア４４を回転させ、さらに前記海綿クッション３５によって前記小分けボトル３４を締付けることで、小分けボトルを固定できる。  
【００１６】
好ましくは、前記引き動かし装置１０２は凹スライドブロック２７を含み、前記凹スライドブロック２７と前記長スライド溝２６とスライド可能に連結され、前記凹スライドブロック２７と前記長スライド溝２６の左端壁との間には長ばね３１が連結され、前記凹スライドブロック２７の中には凹スライド溝２８が設置され、前記連結ブロック３０と前記凹スライド溝２８とはスライド可能に連結され、前記連結ブロック３０と前記凹スライド溝２８との間には連結ばね２９が連結され、前記連結ブロック３０と前記作動ブロック７９の下端面とは固定的に連結され、前記連結ブロック３０と前記細スライド溝２５とはスライド可能に連結され、前記作動ブロック７９は左右移動することで、前記凹スライドブロック２７を左右に移動させ、前記作動ブロック７９は上下移動することで、前記連結ブロック３０を上下に移動させ、前記作動ブロック７９の移動方向を制限することができる。
【００１７】
好ましくは、前記ボトル置き装置は１０３は二つ左右対称に設置され、左側のを例として、ばね板５３を含み、前記ばね板５３と前記化粧品ボトルチャンバ８０とがスライド可能に連結され、前記化粧品ボトルチャンバ８０の下端壁にはばね溝５９は左右対称に設置され、前記ばね板５３と前記ばね溝５９との間には復位ばね５７が連結され、前記ばね板５３の中には抜き穴５２が設置され、前記抜き穴５２の左右端壁にはスライドロッドスライド溝８４が対称的に設置され、前記スライドロッドスライド溝８４の中にはスライドロッド５１がスライド可能に連結され、前記スライドロッドスライド溝８４の下端壁には位置制限溝５５が設置され、前記位置制限溝５５の中には位置制限ブロック５４がスライド可能に連結され、前記位置制限ブロック５４と前記スライドロッド５１とが固定的に連結されており、前記位置制限ブロック５４と前記位置制限溝５５との間には位置制限ばね５６が連結され、前記化粧品ボトルチャンバ８０の下端壁には座金５８が設置され、前記スライドロッド引掛り溝５０と前記下油圧作動油溝７３の中にはＴ型ブロック７２がスライド可能に連結され、前記下油圧作動油溝７３には上油圧作動油溝４６が連通しており、前記上油圧作動油溝４６の中には油圧スライドブロック７５がスライド可能に連結され、前記油圧スライドブロック７５と前記Ｔ型ブロック７２との間には油圧作動油７４が設置されており、前記油圧スライドブロック７５のうち前記化粧品ボトルチャンバ８０から離れた端には引きロッド７８が設置され、前記引きロッド７８は前記上油圧作動油溝４６のうち前記化粧品ボトルチャンバ８０から離れた端を貫き、それぞれ前記引き動かし溝２１と外部に伸びており、前記引きロッド７８と前記下油圧作動油溝７３の端壁とに漏出防止輪７６が連結され、前記引きロッド７８のうち前記化粧品ボトルチャンバ８０から離れた端には引手７７が設置され、前記油圧スライドブロック７５のもう一端にはＬ型ロッド４７が設置され、前記Ｌ型ロッド４７の上端には挟みブロック４８が設置され、前記縄溝６０の中には止め板  ６６が設置され、前記縄溝６０の下端壁には下スライド溝６７が設置され、前記下スライド溝６８の中には前記止め板６６と固定的に連結された下スライドブロック６７がスライド可能に連結され、前記下スライドブロック６７と前記下スライド溝６８との間には下ばね６９が連結され、前記縄溝６０の前後端壁には定滑車７０が上下対称に、かつ回転可能に連結され、前記ノズルスライド溝６１の中にはノズル板６３がスライド可能に連結され、前記ノズル板６３と前記止め板６６との間には前記定滑車７０によって縄７１が連結され、前記ノズル板６３と前記ノズルスライド溝６１の上端壁との間にはノズルばね２が連結され、前記ノズル板６３の中にはノズル６３が設置され、化粧品ボトルの頭部は前記化粧品ボトルチャンバ８０を通過し、前記ばね板５３を下に圧迫し、それにより、前記スライドロッド５１を前記スライドロッド引掛り溝５０の中に入らせ、そして、前記挟みブロック４８によって化粧品ボトルは挟まれ、化粧品ボトルを固定でき、また、化粧品ボトルの中の液体を小分けボトルに注入できる。
【００１８】
下記に、附図１〜２と上記の本発明である小分けボトル注入装置の具体構成を参照し、本発明の使用方法について詳しく説明する：まず、初期状態で、左端の固定チャンバ３３の中には小分けボトル３４が設置されている。
【００１９】
使用時には、化粧品ボトルの頭部を下向きに化粧品ボトルチャンバ８０の中に入れ、ばね板５３を下に押し、スライドロッド５１をそれぞれスライドロッド引掛り溝５０の中に引っ掛らせ、Ｔ側ブロック７２は化粧品ボトルチャンバ８０から離れた端に運動し、油圧作動油７４により油圧スライドブロック７５を化粧品ボトルチャンバ８０に近接した端に運動連動させ、それにより、油圧スライドブロック７５はＬ型ロッド４７と挟みブロック４８とを右に移動し、化粧品ボトルを固定し、そして、手動ブロック２４を上に引っ張り、小分けボトル３４を上に運動させ、ノズル板６３を上に運動させ、縄７１で止め板６６を左に引っ張り、化粧品ボトルの中の液体を小分けボトル３４の中に流れ込ませ、そして手動ブロック２４を下ろし、手動ブロック２４により作動ブロック７９を引っ張り出し、回し棒４５を回し、それによりリングギア４４と、縦軸歯車４３と、縦軸４１と、縦軸傘歯車４２と、親ねじ傘歯車３９と、親ねじ３７とを回転させて、矩形親ねじブッシング３６を駆動チャンバ４０の方向へと運動させ、そして小分けボトル３４を取り出せばよく、化粧品ボトルの中の液体が使い切った時に、手で二つの引手７７を掴み、化粧品ボトルチャンバ８０から離れた方向に引っ張り、Ｔ型ブロック７２によりスライドロッド５１をスライドロッドスライド溝８４の中に押し戻し、そして化粧品ボトルを取り出せば良い。
【００２０】
本発明の有益的効果は：本装置は化粧品ボトルの中の液体を注入することで、人力で小分けボトルに液体を注入した時に、高価な化粧品をこぼす問題を解決でき、また、本装置は大多数の化粧品ボトルと小分けボトルのサイズに適し、適応性が抜群であり、本装置は機械の伝動によって、装置の作動効率を上げ、コストとエネルギー消耗を軽減できる。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020175952.tif 000003
【図２】
2020175952.tif 000004
【図３】
2020175952.tif 000005
【図４】
2020175952.tif 000006
【手続補正書】
【提出日】令和1年11月16日(2019.11.16)
【手続補正１】
【補正対象書類名】特許請求の範囲
【補正対象項目名】全文
【補正方法】変更
【補正の内容】
【特許請求の範囲】
【請求項１】
正面視で、液体注入器を含み、前記液体注入器の中に作動チャンバが設置され、前記作動チャンバの中には瓶詰め装置が設置され、前記瓶詰め装置は作動ブロックを含み、前記瓶詰め装置は前記作動ブロックによってボトルを固定させ、上下に移動させることができ、前記作動チャンバの右端壁には切替溝が設置され、前記作動チャンバの下端壁には細スライド溝が設置され、前記細スライド溝の下端壁には長スライド溝が設置され、前記長スライド溝の中には引き動かし装置が設置され、前記引き動かし装置は連結ブロックを含み、前記瓶詰め装置を左右に滑らせることができ、前記作動チャンバの上端壁にはノズルスライド溝が左右対称に設置され、前記ノズルスライド溝の左右端壁にはそれぞれ縄溝が対称的に設置され、前記ノズルスライド溝の上端壁には詰めチャンバが設置され、前記詰めチャンバと前記縄溝とが連通しており、前記詰めチャンバの上端壁には化粧品ボトルチャンバが設置され、前記化粧品ボトルチャンバの中にはボトル置き装置が設置され、前記ボトル置き装置はばね板を含み、化粧品ボトルを固定することができ、前記化粧品ボトルチャンバの左右端壁にはそれぞれスライドロッド引掛り溝が設置され、前記スライドロッド引掛り溝には下油圧作動油溝が連動するように設置され、前記下油圧作動油溝の左右両端にはそれぞれ第一挟み溝が連動するように設置され、前記第一挟み溝の上端壁には前記化粧品ボトルチャンバと連通した第二挟み溝が設置され、前記液体注入器の中には引き動かし溝が設置され、前記引き動かし溝の上端壁は外部と連通し、
前記瓶詰め装置は手動ブロックを含み、前記手動ブロックは前記切替溝とスライド可能に連結され、前記手動ブロックと前記作動ブロックとが固定的に連結され、前記作動ブロックの左右両端には瓶詰め装置が対称的に設置され、左側の瓶詰め装置を例として、前記作動ブロックは固定チャンバ含み、前記固定チャンバの左右には親ねじブッシングスライド溝が対称的に設置され、前記親ねじブッシングスライド溝の左右端壁には駆動チャンバが対称的に設置され、前記親ねじブッシングスライド溝の上端壁には前記作動チャンバと連通したリングギア溝が設置され、前記リングギア溝の中にはリングギアがスライド可能に設置され、前記リングギアの上端面には回し棒が設置され、前記リングギアの外周は歯であり、前記駆動チャンバの上下端壁には縦軸が回転可能に連結され、前記縦軸の上端には前記リングギアと噛み合った縦軸歯車が設置され、前記縦軸の下端には縦軸傘歯車が設置され、前記親ねじブッシングスライド溝の下端壁には支持ロッドが設置され、前記支持ロッドの中には親ねじが回転可能に連結され、前記親ねじのうち前記固定チャンバから離れた端には前記縦軸傘歯車と噛み合った親ねじ傘歯車が設置され、前記親ねじのうち前記固定チャンバに近接した端には矩形親ねじブッシングがネジ山によって連結され、前記親ねじブッシングのうち前記固定チャンバに近接した端には海綿クッションが設置され、二つの前記海綿クッションは小分けボトルを固定することができ、
前記引き動かし装置は凹スライドブロックを含み、前記凹スライドブロックと前記長スライド溝とスライド可能に連結され、前記凹スライドブロックと前記長スライド溝の左端壁との間には長ばねが連結され、前記凹スライドブロックの中には凹スライド溝が設置され、前記連結ブロックと前記凹スライド溝とはスライド可能に連結され、前記連結ブロックと前記凹スライド溝との間には連結ばねが連結され、前記連結ブロックと前記作動ブロックの下端面とは固定的に連結され、前記連結ブロックと前記細スライド溝とはスライド可能に連結され、
前記ボトル置き装置はは二つ左右対称に設置され、左側のを例として、ばね板を含み、前記ばね板と前記化粧品ボトルチャンバとがスライド可能に連結され、前記化粧品ボトルチャンバの下端壁にはばね溝は左右対称に設置され、前記ばね板と前記ばね溝との間には復位ばねが連結され、前記ばね板の中には抜き穴が設置され、前記抜き穴の左右端壁にはスライドロッドスライド溝が対称的に設置され、前記スライドロッドスライド溝の中にはスライドロッドがスライド可能に連結され、前記スライドロッドスライド溝の下端壁には位置制限溝が設置され、前記位置制限溝の中には位置制限ブロックがスライド可能に連結され、前記位置制限ブロックと前記スライドロッドとが固定的に連結されており、前記位置制限ブロックと前記位置制限溝との間には位置制限ばねが連結され、前記化粧品ボトルチャンバの下端壁には座金が設置され、前記スライドロッド引掛り溝と前記下油圧作動油溝の中にはＴ型ブロックがスライド可能に連結され、前記下油圧作動油溝には上油圧作動油溝が連通しており、前記上油圧作動油溝の中には油圧スライドブロックがスライド可能に連結され、前記油圧スライドブロックと前記Ｔ型ブロックとの間には油圧作動油が設置されており、前記油圧スライドブロックのうち前記化粧品ボトルチャンバから離れた端には引きロッドが設置され、前記引きロッドは前記上油圧作動油溝のうち前記化粧品ボトルチャンバから離れた端を貫き、それぞれ前記引き動かし溝と外部に伸びており、前記引きロッドと前記下油圧作動油溝の端壁とに漏出防止輪が連結され、前記引きロッドのうち前記化粧品ボトルチャンバから離れた端には引手が設置され、前記油圧スライドブロックのもう一端にはＬ型ロッドが設置され、前記Ｌ型ロッドの上端には挟みブロックが設置され、前記縄溝の中には止め板が設置され、前記縄溝の下端壁には下スライド溝が設置され、前記下スライド溝の中には前記止め板と固定的に連結された下スライドブロックがスライド可能に連結され、前記下スライドブロックと前記下スライド溝との間には下ばねが連結され、前記縄溝の前後端壁には定滑車が上下対称に、かつ回転可能に連結され、前記ノズルスライド溝の中にはノズル板がスライド可能に連結され、前記ノズル板と前記止め板との間には前記定滑車によって縄が連結され、前記ノズル板と前記ノズルスライド溝の上端壁との間にはノズルばねが連結され、前記ノズル板の中にはノズルが設置されることを特徴とする小分けボトル注入装置。
【手続補正２】
【補正対象書類名】明細書
【補正対象項目名】全文
【補正方法】変更
【補正の内容】
【発明の詳細な説明】
【技術分野】
【０００１】
本発明は家具分野に関わり、具体的には小分けボトル注入装置である。
【背景技術】
【０００２】
現在、生活品質の向上とともに、より多くの女性が化粧品を使い始めた。化粧品は一般的に体積が大きいため、出かける時には小分けボトルを使用しなければならない。また、頻繁に出かける人々にとって、小分けボトルに頻繁に液体を注がなければならない。しかし、伝統的な注入は使用者本人が行うため、化粧品をこぼす恐れがあり、貴重な化粧品が無駄になってしまう。そのため、家庭用の小分けボトル注入装置の設計は必要である。
【先行技術文献】
【特許文献】
【０００３】
【特許文献１】中国特許出願公開第１０２０２００６２号明細書
【発明の概要】
【発明が解決しようとする課題】
【０００４】
本発明は小分けボトル注入装置を提供し、既存技術にある上記の欠点を解消することを目的とする。
【課題を解決するための手段】
【０００５】
上記の目的を実現するために、本発明は以下の技術プランを提供する：小分けボトル注入装置は、液体注入器を含み、前記液体注入器の中に作動チャンバが設置され、前記作動チャンバの中には瓶詰め装置が設置され、前記瓶詰め装置は作動ブロックを含み、前記瓶詰め装置は前記作動ブロックによってボトルを固定させ、上下に移動させることができ、前記作動チャンバの右端壁には切替溝が設置され、前記作動チャンバの下端壁には細スライド溝が設置され、前記細スライド溝の下端壁には長スライド溝が設置され、前記長スライド溝の中には引き動かし装置が設置され、前記引き動かし装置は連結ブロックを含み、前記瓶詰め装置を左右に滑らせることができ、前記作動チャンバの上端壁にはノズルスライド溝が左右対称に設置され、前記ノズルスライド溝の左右端壁にはそれぞれ縄溝が対称的に設置され、前記ノズルスライド溝の上端壁には詰めチャンバが設置され、前記詰めチャンバと前記縄溝とが連通しており、前記詰めチャンバの上端壁には化粧品ボトルチャンバが設置され、前記化粧品ボトルチャンバの中にはボトル置き装置が設置され、前記ボトル置き装置はばね板を含み、化粧品ボトルを固定することができ、前記化粧品ボトルチャンバの左右端壁にはそれぞれスライドロッド引掛り溝が設置され、前記スライドロッド引掛り溝には下油圧作動油溝が連動するように設置され、前記下油圧作動油溝の左右両端にはそれぞれ第一挟み溝が連動するように設置され、前記第一挟み溝の上端壁には前記化粧品ボトルチャンバと連通した第二挟み溝が設置され、前記液体注入器の中には引き動かし溝が設置され、前記引き動かし溝の上端壁は外部と連通している。
【０００６】
好ましくは、前記瓶詰め装置は手動ブロックを含み、前記手動ブロックは前記切替溝とスライド可能に連結され、前記手動ブロックと前記作動ブロックとが固定的に連結され、前記作動ブロックの左右両端には瓶詰め装置が対称的に設置され、左側の瓶詰め装置を例として、前記作動ブロックは固定チャンバ含み、前記固定チャンバの左右には親ねじブッシングスライド溝が対称的に設置され、前記親ねじブッシングスライド溝の左右端壁には駆動チャンバが対称的に設置され、前記親ねじブッシングスライド溝の上端壁には前記作動チャンバと連通したリングギア溝が設置され、前記リングギア溝の中にはリングギアがスライド可能に設置され、前記リングギアの上端面には回し棒が設置され、前記リングギアの外周は歯であり、前記駆動チャンバの上下端壁には縦軸が回転可能に連結され、前記縦軸の上端には前記リングギアと噛み合った縦軸歯車が設置され、前記縦軸の下端には縦軸傘歯車が設置され、前記親ねじブッシングスライド溝の下端壁には支持ロッドが設置され、前記支持ロッドの中には親ねじが回転可能に連結され、前記親ねじのうち前記固定チャンバから離れた端には前記縦軸傘歯車と噛み合った親ねじ傘歯車が設置され、前記親ねじのうち前記固定チャンバに近接した端には矩形親ねじブッシングがネジ山によって連結され、前記親ねじブッシングのうち前記固定チャンバに近接した端には海綿クッションが設置され、二つの前記海綿クッションは小分けボトルを固定することができる。
【０００７】
好ましくは、前記引き動かし装置は凹スライドブロックを含み、前記凹スライドブロックと前記長スライド溝とスライド可能に連結され、前記凹スライドブロックと前記長スライド溝の左端壁との間には長ばねが連結され、前記凹スライドブロックの中には凹スライド溝が設置され、前記連結ブロックと前記凹スライド溝とはスライド可能に連結され、前記連結ブロックと前記凹スライド溝との間には連結ばねが連結され、前記連結ブロックと前記作動ブロックの下端面とは固定的に連結され、前記連結ブロックと前記細スライド溝とはスライド可能に連結されている。
【０００８】
好ましくは、前記ボトル置き装置はは二つ左右対称に設置され、左側のを例として、ばね板を含み、前記ばね板と前記化粧品ボトルチャンバとがスライド可能に連結され、前記化粧品ボトルチャンバの下端壁にはばね溝は左右対称に設置され、前記ばね板と前記ばね溝との間には復位ばねが連結され、前記ばね板の中には抜き穴が設置され、前記抜き穴の左右端壁にはスライドロッドスライド溝が対称的に設置され、前記スライドロッドスライド溝の中にはスライドロッドがスライド可能に連結され、前記スライドロッドスライド溝の下端壁には位置制限溝が設置され、前記位置制限溝の中には位置制限ブロックがスライド可能に連結され、前記位置制限ブロックと前記スライドロッドとが固定的に連結されており、前記位置制限ブロックと前記位置制限溝との間には位置制限ばねが連結され、前記化粧品ボトルチャンバの下端壁には座金が設置され、前記スライドロッド引掛り溝と前記下油圧作動油溝の中にはＴ型ブロックがスライド可能に連結され、前記下油圧作動油溝には上油圧作動油溝が連通しており、前記上油圧作動油溝の中には油圧スライドブロックがスライド可能に連結され、前記油圧スライドブロックと前記Ｔ型ブロックとの間には油圧作動油が設置されており、前記油圧スライドブロックのうち前記化粧品ボトルチャンバから離れた端には引きロッドが設置され、前記引きロッドは前記上油圧作動油溝のうち前記化粧品ボトルチャンバから離れた端を貫き、それぞれ前記引き動かし溝と外部に伸びており、前記引きロッドと前記下油圧作動油溝の端壁とに漏出防止輪が連結され、前記引きロッドのうち前記化粧品ボトルチャンバから離れた端には引手が設置され、前記油圧スライドブロックのもう一端にはＬ型ロッドが設置され、前記Ｌ型ロッドの上端には挟みブロックが設置され、前記縄溝の中には止め板が設置され、前記縄溝の下端壁には下スライド溝が設置され、前記下スライド溝の中には前記止め板と固定的に連結された下スライドブロックがスライド可能に連結され、前記下スライドブロックと前記下スライド溝との間には下ばねが連結され、前記縄溝の前後端壁には定滑車が上下対称に、かつ回転可能に連結され、前記ノズルスライド溝の中にはノズル板がスライド可能に連結され、前記ノズル板と前記止め板との間には前記定滑車によって縄が連結され、前記ノズル板と前記ノズルスライド溝の上端壁との間にはノズルばねが連結され、前記ノズル板の中にはノズルが設置されている。
【発明の効果】
【０００９】
本発明の有益的効果は：本装置は化粧品ボトルの中の液体を注入することで、人力で小分けボトルに液体を注入した時に、高価な化粧品をこぼす問題を解決でき、また、本装置は大多数の化粧品ボトルと小分けボトルのサイズに適し、適応性が抜群であり、本装置は機械の伝動によって、装置の作動効率を上げ、コストとエネルギー消耗を軽減できる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明である小分けボトル注入装置の全体断面の正面構成略図
【図２】図２は図１におけるＡの局部拡大図
【図３】図３は図１におけるＢ―Ｂ方向からの断面図
【図４】図４は図１におけるノズル板とノズルの装着略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜４を参照し、本発明は以下の実施例を提供する：小分けボトル注入装置は、液体注入器１００を含み、前記液体注入器１００の中に作動チャンバ２２が設置され、前記作動チャンバ２２の中には瓶詰め装置１０１が設置され、前記瓶詰め装置１０１は作動ブロック７９を含み、前記瓶詰め装置１０１は前記作動ブロック７９によってボトルを固定させ、上下に移動させることができ、前記作動チャンバ２２の右端壁には切替溝２３が設置され、前記作動チャンバ２２の下端壁には細スライド溝２５が設置され、前記細スライド溝２５の下端壁には長スライド溝２６が設置され、前記長スライド溝２６の中には引き動かし装置１０２が設置され、前記引き動かし装置１０２は連結ブロック３０を含み、前記瓶詰め装置１０１を左右に滑らせることができ、前記作動チャンバ２２の上端壁にはノズルスライド溝６１が左右対称に設置され、前記ノズルスライド溝６１の左右端壁にはそれぞれ縄溝６０が対称的に設置され、前記ノズルスライド溝６１の上端壁には詰めチャンバ６５が設置され、前記詰めチャンバ６５と前記縄溝６０とが連通しており、前記詰めチャンバ６５の上端壁には化粧品ボトルチャンバ８０が設置され、前記化粧品ボトルチャンバ８０の中にはボトル置き装置１０３が設置され、前記ボトル置き装置１０３はばね板５３を含み、化粧品ボトルを固定することができ、前記化粧品ボトルチャンバ８０の左右端壁にはそれぞれスライドロッド引掛り溝５０が設置され、前記スライドロッド引掛り溝５０には下油圧作動油溝７３が連動するように設置され、前記下油圧作動油溝７３の左右両端にはそれぞれ第一挟み溝４９が連動するように設置され、前記第一挟み溝４９の上端壁には前記化粧品ボトルチャンバ８０と連通した第二挟み溝８１が設置され、前記液体注入器１００の中には引き動かし溝２１が設置され、前記引き動かし溝２１の上端壁は外部と連通している。
【００１５】
好ましくは、前記瓶詰め装置１０１は手動ブロック２４を含み、前記手動ブロック２４は前記切替溝２３とスライド可能に連結され、前記手動ブロック２４と前記作動ブロック７９とが固定的に連結され、前記作動ブロック７９の左右両端には瓶詰め装置１０１が対称的に設置され、左側の瓶詰め装置１０１を例として、前記作動ブロック７９は固定チャンバ３３含み、前記固定チャンバ３３の左右には親ねじブッシングスライド溝３２が対称的に設置され、前記親ねじブッシングスライド溝３２の左右端壁には駆動チャンバ４０が対称的に設置され、前記親ねじブッシングスライド溝３２の上端壁には前記作動チャンバ２２と連通したリングギア溝８３が設置され、前記リングギア溝８３の中にはリングギア４４がスライド可能に設置され、前記リングギア４４の上端面には回し棒４５が設置され、前記リングギア４４の外周は歯であり、前記駆動チャンバ４０の上下端壁には縦軸４１が回転可能に連結され、前記縦軸４１の上端には前記リングギア４４と噛み合った縦軸歯車４３が設置され、前記縦軸４１の下端には縦軸傘歯車４２が設置され、前記親ねじブッシングスライド溝３２の下端壁には支持ロッド３８が設置され、前記支持ロッド３８の中には親ねじ３７が回転可能に連結され、前記親ねじ３７のうち前記固定チャンバ３３から離れた端には前記縦軸傘歯車４２と噛み合った親ねじ傘歯車３９が設置され、前記親ねじ３７のうち前記固定チャンバ３３に近接した端には矩形親ねじブッシング３６がネジ山によって連結され、前記親ねじブッシング３６のうち前記固定チャンバ３３に近接した端には海綿クッション３５が設置され、二つの前記海綿クッション３５は小分けボトル３４を固定することができ、前記小分けボトル３４を前記固定チャンバ３３の中に入れ、そして前記回し棒４５によって前記リングギア４４を回転させ、さらに前記海綿クッション３５によって前記小分けボトル３４を締付けることで、小分けボトルを固定できる。
【００１６】
好ましくは、前記引き動かし装置１０２は凹スライドブロック２７を含み、前記凹スライドブロック２７と前記長スライド溝２６とスライド可能に連結され、前記凹スライドブロック２７と前記長スライド溝２６の左端壁との間には長ばね３１が連結され、前記凹スライドブロック２７の中には凹スライド溝２８が設置され、前記連結ブロック３０と前記凹スライド溝２８とはスライド可能に連結され、前記連結ブロック３０と前記凹スライド溝２８との間には連結ばね２９が連結され、前記連結ブロック３０と前記作動ブロック７９の下端面とは固定的に連結され、前記連結ブロック３０と前記細スライド溝２５とはスライド可能に連結され、前記作動ブロック７９は左右移動することで、前記凹スライドブロック２７を左右に移動させ、前記作動ブロック７９は上下移動することで、前記連結ブロック３０を上下に移動させ、前記作動ブロック７９の移動方向を制限することができる。
【００１７】
好ましくは、前記ボトル置き装置は１０３は二つ左右対称に設置され、左側のを例として、ばね板５３を含み、前記ばね板５３と前記化粧品ボトルチャンバ８０とがスライド可能に連結され、前記化粧品ボトルチャンバ８０の下端壁にはばね溝５９は左右対称に設置され、前記ばね板５３と前記ばね溝５９との間には復位ばね５７が連結され、前記ばね板５３の中には抜き穴５２が設置され、前記抜き穴５２の左右端壁にはスライドロッドスライド溝８４が対称的に設置され、前記スライドロッドスライド溝８４の中にはスライドロッド５１がスライド可能に連結され、前記スライドロッドスライド溝８４の下端壁には位置制限溝５５が設置され、前記位置制限溝５５の中には位置制限ブロック５４がスライド可能に連結され、前記位置制限ブロック５４と前記スライドロッド５１とが固定的に連結されており、前記位置制限ブロック５４と前記位置制限溝５５との間には位置制限ばね５６が連結され、前記化粧品ボトルチャンバ８０の下端壁には座金５８が設置され、前記スライドロッド引掛り溝５０と前記下油圧作動油溝７３の中にはＴ型ブロック７２がスライド可能に連結され、前記下油圧作動油溝７３には上油圧作動油溝４６が連通しており、前記上油圧作動油溝４６の中には油圧スライドブロック７５がスライド可能に連結され、前記油圧スライドブロック７５と前記Ｔ型ブロック７２との間には油圧作動油７４が設置されており、前記油圧スライドブロック７５のうち前記化粧品ボトルチャンバ８０から離れた端には引きロッド７８が設置され、前記引きロッド７８は前記上油圧作動油溝４６のうち前記化粧品ボトルチャンバ８０から離れた端を貫き、それぞれ前記引き動かし溝２１と外部に伸びており、前記引きロッド７８と前記下油圧作動油溝７３の端壁とに漏出防止輪７６が連結され、前記引きロッド７８のうち前記化粧品ボトルチャンバ８０から離れた端には引手７７が設置され、前記油圧スライドブロック７５のもう一端にはＬ型ロッド４７が設置され、前記Ｌ型ロッド４７の上端には挟みブロック４８が設置され、前記縄溝６０の中には止め板６６が設置され、前記縄溝６０の下端壁には下スライド溝６７が設置され、前記下スライド溝６８の中には前記止め板６６と固定的に連結された下スライドブロック６７がスライド可能に連結され、前記下スライドブロック６７と前記下スライド溝６８との間には下ばね６９が連結され、前記縄溝６０の前後端壁には定滑車７０が上下対称に、かつ回転可能に連結され、前記ノズルスライド溝６１の中にはノズル板６３がスライド可能に連結され、前記ノズル板６３と前記止め板６６との間には前記定滑車７０によって縄７１が連結され、前記ノズル板６３と前記ノズルスライド溝６１の上端壁との間にはノズルばね６２が連結され、前記ノズル板６３の中にはノズル６３が設置され、化粧品ボトルの頭部は前記化粧品ボトルチャンバ８０を通過し、前記ばね板５３を下に圧迫し、それにより、前記スライドロッド５１を前記スライドロッド引掛り溝５０の中に入らせ、そして、前記挟みブロック４８によって化粧品ボトルは挟まれ、化粧品ボトルを固定でき、また、化粧品ボトルの中の液体を小分けボトルに注入できる。
【００１８】
下記に、附図１〜２と上記の本発明である小分けボトル注入装置の具体構成を参照し、本発明の使用方法について詳しく説明する：まず、初期状態で、左端の固定チャンバ３３の中には小分けボトル３４が設置されている。
【００１９】
使用時には、化粧品ボトルの頭部を下向きに化粧品ボトルチャンバ８０の中に入れ、ばね板５３を下に押し、スライドロッド５１をそれぞれスライドロッド引掛り溝５０の中に引っ掛らせ、Ｔ側ブロック７２は化粧品ボトルチャンバ８０から離れた端に運動し、油圧作動油７４により油圧スライドブロック７５を化粧品ボトルチャンバ８０に近接した端に運動連動させ、それにより、油圧スライドブロック７５はＬ型ロッド４７と挟みブロック４８とを右に移動し、化粧品ボトルを固定し、そして、手動ブロック２４を上に引っ張り、小分けボトル３４を上に運動させ、ノズル板６３を上に運動させ、縄７１で止め板６６を左に引っ張り、化粧品ボトルの中の液体を小分けボトル３４の中に流れ込ませ、そして手動ブロック２４を下ろし、手動ブロック２４により作動ブロック７９を引っ張り出し、回し棒４５を回し、それによりリングギア４４と、縦軸歯車４３と、縦軸４１と、縦軸傘歯車４２と、親ねじ傘歯車３９と、親ねじ３７とを回転させて、矩形親ねじブッシング３６を駆動チャンバ４０の方向へと運動させ、そして小分けボトル３４を取り出せばよく、化粧品ボトルの中の液体が使い切った時に、手で二つの引手７７を掴み、化粧品ボトルチャンバ８０から離れた方向に引っ張り、Ｔ型ブロック７２によりスライドロッド５１をスライドロッドスライド溝８４の中に押し戻し、そして化粧品ボトルを取り出せば良い。
【００２０】
本発明の有益的効果は：本装置は化粧品ボトルの中の液体を注入することで、人力で小分けボトルに液体を注入した時に、高価な化粧品をこぼす問題を解決でき、また、本装置は大多数の化粧品ボトルと小分けボトルのサイズに適し、適応性が抜群であり、本装置は機械の伝動によって、装置の作動効率を上げ、コストとエネルギー消耗を軽減できる。
【００２１】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。